(57)【要約】【課題】  物理チャンネルと仮想チャンネルとの対応関係に変更があった場合でも指定どおりのチャンネルが受信できるようにする。【解決手段】  確認部Ｐ３がステップＳ１２０にて選局中のデジタル放送信号の仮想チャンネルが、使用者が指定した仮想チャンネルと一致しない場合に、ステップＳ１３０，Ｓ１４５にて使用者が受信するように指定した仮想チャンネルが受信可能な物理チャンネルを検索する。そして、検索された物理チャンネルをステップＳ１８０にて選局させ受信・再生を行うようにしているため、使用者が指定した仮想チャンネルに対応する物理チャンネルが変更されていても、その変更に追従して受信・再生を行うことができる。【選択図】  図４
2007116279.tif 000002
【特許請求の範囲】
【請求項１】
チューナが選局する搬送周波数に対応する物理チャンネルと、受信の際に指定される仮想チャンネルとの対応関係を規定したチャンネル対応テーブルと、
使用者から上記チューナにて選局する上記仮想チャンネルの指定を受け付ける指定入力手段と、
上記チャンネル対応テーブルを参照して使用者から指定された上記仮想チャンネルに対応する上記物理チャンネルを特定する特定手段と、
上記特定手段にて特定された上記物理チャンネルを上記チューナにて選局させてデジタル放送信号の受信を行う受信手段とを具備するデジタルテレビジョンにおいて、
上記受信手段が受信を行う際に、上記チューナが選局している上記デジタル放送信号の上記仮想チャンネルが上記指定入力手段にて受け付けた上記仮想チャンネルと一致しているかどうかを確認する確認手段と、
上記確認手段にて、上記チューナが選局している上記デジタル放送信号の上記仮想チャンネルが上記指定入力手段にて受け付けた上記仮想チャンネルと一致していないことが確認されたとき、上記チャンネル対応テーブルにていずれかの上記仮想チャンネルが対応づけられた上記物理チャンネルを順次上記チューナにて選局させ、その際に受信される上記仮想チャンネルを順次特定しつつ、上記指定入力手段にて受け付けた上記仮想チャンネルが受信可能な上記物理チャンネルを検索する第一検索手段と、
上記第一検索手段において上記指定入力手段にて受け付けた上記仮想チャンネルが受信可能な上記物理チャンネルが検索されないとき、すべての上記物理チャンネルを順次上記チューナにて選局させ、その際に受信される上記仮想チャンネルを順次特定しつつ、上記指定入力手段にて受け付けた上記仮想チャンネルが受信可能な上記物理チャンネルを検索する第二検索手段と、
上記第一検索手段または上記第二検索手段において特定した上記物理チャンネルと上記仮想チャンネルとの対応関係を上記チャンネル対応テーブルに更新する更新手段と、
第一選局モードまたは第二選局モードのいずれかの指定を受け付けるモード入力手段と、
上記第一選局モードが指定され、かつ、上記第一検索手段または上記第二検索手段において上記指定入力手段にて受け付けた上記仮想チャンネルが受信可能な上記物理チャンネルが検索された場合に、上記指定入力手段にて受け付けた上記仮想チャンネルの変更があった旨を示す表示を行いつつ、上記第一検索手段または上記第二検索手段にて検索された上記物理チャンネルを選局させるか否かを問い合わせる選択手段とを具備するとともに、
上記受信手段は、
上記第一検索手段および上記第二検索手段において上記指定入力手段にて受け付けた上記仮想チャンネルが受信可能な上記物理チャンネルが検索されないとき、および、上記選択手段にて上記第一検索手段または上記第二検索手段にて検索された上記物理チャンネルを選局させないように指定されたとき、上記特定手段にて特定された上記物理チャンネルを上記チューナにて選局させてデジタル放送信号を受信するとともに、
上記第二選局モードが指定され上記第一検索手段および上記第二検索手段において上記指定入力手段にて受け付けた上記仮想チャンネルが受信可能な上記物理チャンネルを検索されたとき、および、上記選択手段にて上記第一検索手段または上記第二検索手段にて検索された上記物理チャンネルを選局させるように指定されたとき、上記第一検索手段または上記第二検索手段にて検索された上記物理チャンネルを上記チューナにて選局させてデジタル放送信号を受信することを特徴とするデジタルテレビジョン。
【請求項２】
チューナが選局する搬送周波数に対応する物理チャンネルと、受信の際に指定される仮想チャンネルとの対応関係を規定したチャンネル対応テーブルと、
使用者から上記チューナにて選局する上記仮想チャンネルの指定を受け付ける指定入力手段と、
上記チャンネル対応テーブルを参照して使用者から指定された上記仮想チャンネルに対応する上記物理チャンネルを特定する特定手段と、
上記特定手段にて特定された上記物理チャンネルを上記チューナにて選局させてデジタル放送信号の受信を行う受信手段とを具備するデジタル放送受信装置において、
上記受信手段が受信を行う際に、上記チューナが選局している上記デジタル放送信号の上記仮想チャンネルが上記指定入力手段にて受け付けた上記仮想チャンネルと一致しているかどうかを確認する確認手段と、
上記確認手段にて、上記チューナが選局している上記デジタル放送信号の上記仮想チャンネルが上記指定入力手段にて受け付けた上記仮想チャンネルと一致していないことが確認されたとき、上記物理チャンネルを順次上記チューナにて選局させ、その際に受信される上記仮想チャンネルを順次特定しつつ、上記指定入力手段にて受け付けた上記仮想チャンネルが受信可能な上記物理チャンネルを検索する検索手段を具備するとともに、
上記受信手段は、
上記第一検索手段および上記第二検索手段において上記指定入力手段にて受け付けた上記仮想チャンネルが受信可能な上記物理チャンネルを検索されたとき、同検索された上記物理チャンネルを上記チューナにて選局させてデジタル放送信号を受信することを特徴とするデジタル放送受信装置。
【請求項３】
上記検索手段は、
上記チャンネル対応テーブルにていずれかの上記仮想チャンネルが対応づけられた上記物理チャンネルを順次上記チューナにて選局させ、その際に受信される上記仮想チャンネルを順次特定しつつ、上記指定入力手段にて受け付けた上記仮想チャンネルが受信可能な上記物理チャンネルを検索する請求項２に記載のデジタル放送受信装置。
【請求項４】
上記検索手段は、
上記チャンネル対応テーブルにていずれかの上記仮想チャンネルが対応づけられた上記物理チャンネルのなかから上記指定入力手段にて受け付けた上記仮想チャンネルが受信可能な上記物理チャンネルが検索されないとき、すべての上記物理チャンネルを順次上記チューナにて選局させ、その際に受信される上記仮想チャンネルを順次特定しつつ、上記指定入力手段にて受け付けた上記仮想チャンネルが受信可能な上記物理チャンネルを検索する請求項３に記載のデジタル放送受信装置。
【請求項５】
上記検索手段において特定した上記物理チャンネルと上記仮想チャンネルとの対応関係を上記チャンネル対応テーブルに更新する更新手段を具備することを特徴とする請求項２から請求項４のいずれかに記載のデジタル放送受信装置。
【請求項６】
上記検索手段において上記指定入力手段にて受け付けた上記仮想チャンネルが受信可能な上記物理チャンネルが検索されたとき、上記指定入力手段にて受け付けた上記仮想チャンネルの変更があった旨を示す表示を行うことを特徴とする請求項２から請求項５のいずれかに記載のデジタル放送受信装置。
【請求項７】
上記受信手段は、
上記検索手段において上記指定入力手段にて受け付けた上記仮想チャンネルが受信可能な上記物理チャンネルが検索されないとき、上記特定手段にて特定された上記物理チャンネルを上記チューナにて選局させてデジタル放送信号を受信することを特徴とする請求項２から請求項６のいずれかに記載のデジタル放送受信装置。
【請求項８】
上記検索手段において上記指定入力手段にて受け付けた上記仮想チャンネルが受信可能な上記物理チャンネルが検索されたとき、上記検索手段にて検索された上記物理チャンネルを選局させるか否かを問い合わせる第一選局モードと、
上記検索手段において上記検索手段において上記指定入力手段にて受け付けた上記仮想チャンネルが受信可能な上記物理チャンネルが検索されたとき、上記検索手段にて検索された上記物理チャンネルを選局させるか否かを問い合わせることなく、上記受信手段が同検索された上記物理チャンネルを上記チューナにて選局させてデジタル放送信号を受信する第二選局モードのいずれかの指定を受け付けるモード入力手段を具備することを特徴とする請求項２から請求項７のいずれかに記載のデジタル放送受信装置。
【発明の詳細な説明】
【技術分野】
【０００１】
本発明は、デジタルテレビジョンおよびデジタル放送受信装置に関する。
【背景技術】
【０００２】
従来、この種のデジタル放送受信装置として、仮想チャンネルが指定されたとき、同仮想チャンネルがチャンネルマップに登録されているかどうかを判定し、登録されてない場合には、当該仮想チャンネルが受信可能な物理チャンネルをスキャンするものが提案されている（例えば、特許文献１、参照。）。
かかる構成によれば、使用者が指定した仮想チャンネルがチャンネルマップに登録されていなくても、当該仮想チャンネルを選局させることができた。
【特許文献１】特開２００２−３４４８２９号公報
【発明の開示】
【発明が解決しようとする課題】
【０００３】
上述した技術において、使用者が指定した仮想チャンネルがチャンネルマップに登録されている場合には、同仮想チャンネルに対応する物理チャンネルが選局されることとなる。しかしながら、チャンネルマップにおける物理チャンネルと仮想チャンネルとの対応関係が正しくない場合には、誤った物理チャンネルが選局されるという問題があった。すなわち、デジタルテレビ放送においては、仮想チャンネルと物理チャンネルとの対応関係が時間帯ごとに変更されるため、チャンネルマップが最新のものでないと、過去に対応していた不正な物理チャンネルが受信されるという問題があった。
本発明は、上記課題にかんがみてなされたもので、物理チャンネルと仮想チャンネルとの対応関係に変更があった場合でも指定どおりのチャンネルが受信可能なデジタルテレビジョンおよびデジタル放送受信装置の提供を目的とする。
【課題を解決するための手段】
【０００４】
上記課題を解決するために請求項２にかかる発明では、チューナが選局する搬送周波数に対応する物理チャンネルと、受信の際に指定される仮想チャンネルとの対応関係を規定したチャンネル対応テーブルと、使用者から上記チューナにて選局する上記仮想チャンネルの指定を受け付ける指定入力手段と、上記チャンネル対応テーブルを参照して使用者から指定された上記仮想チャンネルに対応する上記物理チャンネルを特定する特定手段と、上記特定手段にて特定された上記物理チャンネルを上記チューナにて選局させてデジタル放送信号の受信を行う受信手段とを具備するデジタル放送受信装置において、
上記受信手段が受信を行う際に、上記チューナが選局している上記デジタル放送信号の上記仮想チャンネルが上記指定入力手段にて受け付けた上記仮想チャンネルと一致しているかどうかを確認する確認手段と、上記確認手段にて、上記チューナが選局している上記デジタル放送信号の上記仮想チャンネルが上記指定入力手段にて受け付けた上記仮想チャンネルと一致していないことが確認されたとき、上記物理チャンネルを順次上記チューナにて選局させ、その際に受信される上記仮想チャンネルを順次特定しつつ、上記指定入力手段にて受け付けた上記仮想チャンネルが受信可能な上記物理チャンネルを検索する検索手段を具備するとともに、上記受信手段は、上記第一検索手段および上記第二検索手段において上記指定入力手段にて受け付けた上記仮想チャンネルが受信可能な上記物理チャンネルを検索されたとき、同検索された上記物理チャンネルを上記チューナにて選局させてデジタル放送信号を受信する構成としてある。
【０００５】
上記のように構成した請求項２の発明において、デジタル放送受信装置が扱うチャンネルには、チューナが選局する搬送周波数に対応する物理チャンネルと、受信の際に使用者から指定される仮想チャンネルとがある。物理チャンネルは搬送周波数と一体不可分の関係にあり、物理チャンネルと搬送周波数との対応関係が変更されることはない。一方、仮想チャンネルは使用者が扱うチャンネルであり、視聴の際にも仮想チャンネルで受信するチャンネルが指定される。上記物理チャンネルと上記仮想チャンネルとの対応関係を規定したチャンネル対応テーブルを備えることにより、上記仮想チャンネルから対応する上記物理チャンネルを特定し、さらに同特定された物理チャンネルに対応する搬送周波数を特定することができる。従って、特定手段では上記チャンネル対応テーブルを参照して上記指定入力手段にて受け付けた上記仮想チャンネルに対応する上記物理チャンネルを特定することができ、受信手段においては同特定手段にて特定された同物理チャンネルを上記チューナにて選局させて受信を行うことができる。すなわち、使用者が指定した上記仮想チャンネルについて視聴を行うことができる。
【０００６】
確認手段は上記受信手段が受信を行っているときに、上記チューナが選局している上記デジタル放送信号の上記仮想チャンネルが上記指定入力手段にて受け付けた上記仮想チャンネルと一致しているかどうかを確認する。そして、検索手段は、上記確認手段が上記チューナの選局している上記デジタル放送信号の上記仮想チャンネルが上記指定入力手段にて受け付けた上記仮想チャンネルと一致していないと判定したとき、上記指定入力手段にて受け付けた上記仮想チャンネルが受信可能な上記物理チャンネルを検索する。具体的には、上記検索手段は、上記物理チャンネルを順次上記チューナにて選局させ、その際に受信される上記仮想チャンネルを順次特定しつつ、上記指定入力手段にて受け付けた上記仮想チャンネルが受信可能な上記物理チャンネルを検索する。さらに、上記受信手段は、上記検索手段にて検索された上記物理チャンネルを上記チューナにて選局させて受信を行うため、指定された上記仮想チャンネルを視聴することができる。
【発明の効果】
【０００７】
以上説明したように請求項１および請求項２の発明によれば、物理チャンネルと仮想チャンネルとの対応関係に変更があった場合でも指定どおりのチャンネルが受信可能なデジタルテレビジョンおよびデジタル放送受信装置を提供することができる。
請求項３の発明によれば、使用頻度の高い搬送周波数帯域についてのみ仮想チャンネルを検索することができる。
請求項４の発明によれば、必要な場合には、すべての搬送周波数帯域について仮想チャンネルを検索することができる。
【０００８】
請求項５の発明によれば、チャンネル対応テーブルを最新の状態に更新することができる。
請求項６の発明によれば、仮想チャンネルの割り当てに変更があった旨を通知することができる。
請求項７の発明によれば、検索ができない場合には、もとの物理チャンネルを受信させることができる。
請求項８の発明によれば、使用者にチャンネル選択の機会を与えることができる。
【発明を実施するための最良の形態】
【０００９】
ここでは、下記の順序に従って本発明の実施形態について説明する。
（１）デジタルテレビジョンの構成：
（２）受信処理：
【００１０】
（１）デジタルテレビジョンの構成：
図１は、本発明の一実施形態にかかるデジタル放送受信装置としてのデジタルテレビジョンの内部構成を概念的に示している。同図において、デジタルテレビジョン２０は、アンテナ１０から放送信号を入力するチューナ２２を備えている。チューナ２２は、ＣＰＵ２８ａから選局を行う搬送周波数を指定する選局信号を受け付けており、同選局信号にて指定された搬送周波数を設定することにより、所望の搬送周波数帯域の放送信号を抽出することができる。なお、本実施形態では本発明のデジタル放送受信装置の一実施形態として、デジタルテレビジョン２０を例示したが、デジタルチューナ単体や受信した映像を録画するビデオレコーダやＤＶＤレコーダやＨＤＤレコーダ等であっても、本発明を適用することは可能である。
【００１１】
ＣＰＵ２８ａはバス２９に接続されており、バス２９に接続されたＲＡＭ２８ｂをワークエリアとしながら、当該デジタルテレビジョン２０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能なＥＥＰＲＯＭ２８ｄが備えられており、ＣＰＵ２８ａはＥＥＰＲＯＭ２８ｄに記憶された各種データを使用して制御処理を実行する。
【００１２】
具体的には、ＥＥＰＲＯＭ２８ｄに選局データ２８ｄ１とＯＳＤデータ２８ｄ２が記憶される。選局データ２８ｄ１には、上述した搬送周波数と物理チャンネルとの対応関係と、この物理チャンネルと仮想チャンネルの対応関係が格納されている。図２は、選局データ２８ｄ１を表にして示している。同図において、選局データ２８ｄ１においては、搬送周波数と物理チャンネルとの対応関係が定義されており、物理チャンネルの番号は搬送周波数の昇順に連続した整数が割り当てられている。一方、各物理チャンネルについて受信可能である旨のフラグを付与することが可能となっており、受信可能である旨のフラグが付与された物理チャンネルについては仮想チャンネルの番号が割り当てられている。予め全物理チャンネルを順に選局し、受信可能な物理チャンネルを検索するオートプリセットが行われており、その結果、受信された物理チャンネルについては受信可能である旨のフラグが付与される。また、オートプリセットの際に受信されたデジタル放送信号に含まれる仮想チャンネル番号についての情報をＳＤＴ（Service Description Table）から取得し、同取得した情報に基づいて仮想チャンネルの番号が当該放送信号が受信された物理チャンネルに対応づけられる。
【００１３】
この仮想チャンネルの番号は、各放送局等の取り決めに依存しているため、連続する整数でなく、規則性がない。また、仮想チャンネルが受信できる物理チャンネル（搬送周波数）は、常に一定ではなく、時間によって変動する。例えば、仮想チャンネルの１１ｃｈが、昨日まで物理チャンネルの３ｃｈにて受信できたのに、今日からは物理チャンネルの３０ｃｈにて受信できるといったことが発生する。新聞等に掲載される番組表には仮想チャンネルのみが記載されており、使用者は仮想チャンネルを指定することにより所望の番組の視聴や録画を行う。なお、一の搬送周波数帯域において複数の仮想チャンネルが多重化されて放送される場合があるため、一の物理チャンネルに対して複数の仮想チャンネルが対応する場合がある。なお、選局データ２８ｄ１において物理チャンネルと仮想チャンネルとの対応関係を示す部分が本発明のチャンネル対応テーブルに相当する。
【００１４】
リモコン４０等を用いて所望の仮想チャンネルを指定すると、選局データ２８ｄ１を参照することにより、同仮想チャンネルに対応する物理チャンネルが特定され、さらに同物理チャンネルに対応する搬送周波数を特定することができる。従って、リモコン４０にて受信すべき仮想チャンネルの番号が指定された場合には、同仮想チャンネルが受信可能な搬送周波数帯域の放送信号をチューナ２２にて選局させることができる。
【００１５】
チューナ２２の出力は、デジタル再生回路２３に供給される。すなわち、デジタルテレビジョン２０は、デジタル放送信号を再生することが可能となっている。デジタル再生回路２３は、デジタルＩ／Ｆ２３ａと復調回路２３ｂとデ・スクランブル部２３ｃとデ・マルチプレックス部２３ｄとＭＰＥＧデコーダ２３ｇとから構成されている。チューナ２２から放送信号が入力されるデジタルＩ／Ｆ２３ａにはＡ／Ｄコンバータが備えられており、このデジタルＩ／Ｆ２３ａから信号の供給を受ける復調部には、チャンネルイコライザ、エラー訂正デコード部等も備えられている。
【００１６】
すなわち、デジタルＩ／Ｆ２３ａと復調回路２３ｂは、チューナ２２から入力される放送信号をデジタル信号に変換するとともに、ＣＰＵ２８ａからの制御情報に基づいてデジタル復調した信号に対していわゆるゴーストキャンセルを行う。さらに、デジタルＩ／Ｆ２３ａと復調回路２３ｂは、伝送路上で発生したビット誤りを訂正し、トランスポートストリーム（ＴＳ）出力を得る。
【００１７】
また、復調回路２３ｂにて復調およびエラー訂正処理を行うことにより得られたトランスポートストリームはデ・スクランブル部２３ｃに供給される。トランスポートストリームは、通常、スクランブルがかかっているため、このままでは適正に映像・音声を再生することはできない。そこで、デ・スクランブル部２３ｃがトランスポートストリームに対してデ・スクランブル処理を行うことにより、トランスポートストリームを再生可能なデータ配列に復もとする。デ・スクランブル処理が行われたトランスポートストリームは、映像信号や音声信号や文字情報等が多重化された形式となっており、デ・マルチプレックス部２３ｄに供給される。デ・マルチプレックス部２３ｄでは入力されたデータに対してデ・マルチプレックス処理を行う。すなわち、ここで多重化が解除される。このとき、トランスポートストリームに含まれたＳＤＴを解析することにより、現在受信中の放送信号の仮想チャンネルの番号や名前を取得することができる。なお、デ・スクランブル部２３ｃとデ・マルチプレックス部２３ｄとはそれぞれの処理を行う際にワークエリアとしてＤＲＡＭ２３ｅを利用することが可能である。
【００１８】
デ・マルチプレックス処理にて多重化が解除されると、単一の周波数帯において複数のチャンネルのＭＰＥＧデータが多重化されて搬送される多重化チャンネルについても多重化を解除される。ＭＰＥＧデータはＭＰＥＧデコーダ２３ｇに供給され、同ＭＰＥＧデコーダ２３ｇにて圧縮解凍処理、つまりＭＰＥＧデコード処理が行われる。ＭＰＥＧデータをＭＰＥＧデコード処理することにより、デジタル映像信号とデジタル音声信号とが生成され、同生成されたデジタル映像信号はさらにアナログの映像信号に変換される。
【００１９】
ＭＰＥＧデコーダ２３ｇはＯＳＤ処理部２３ｈを備えており、出力中や録画中の映像に予めＥＥＰＲＯＭ２８ｄに記憶されたＯＳＤデータ２８ｄ２が示す映像を重ねて表示したり、差し替えて表示するなどの処理を行うことができる。ＭＰＥＧデコーダ２３ｇはＭＰＥＧデコード処理やＯＳＤ処理を行う際にワークエリアとしてＤＲＡＭ２３ｆを利用することが可能である。このように、ＭＰＥＧデコーダ２３ｇは圧縮解凍処理を実行可能であるとともに、ＯＳＤ処理部２３ｈにてグラフィックス処理を実行可能になっている。圧縮解凍・アナログ変換された映像信号は映像出力部２６に供給され、同映像出力部２６にて同映像信号がＣＲＴ２４ａに出力される。ＣＲＴ２４ａはアナログ表示素子であるため映像信号をアナログ信号に変換して出力する必要があるが、ＬＣＤやＰＤＰ等のデジタル表示素子を備えたデジタルテレビジョンにおいては、映像信号をデジタル信号のまま出力することができる。一方、ＭＰＥＧデコード処理により生成された音声信号は、音声出力部２７に入力され、同音声出力部２７からスピーカ２４ｂに出力される。
【００２０】
上述したＣＰＵ２８ａはバス２９に接続されており、バス２９に接続されたＲＡＭ２８ｂをワークエリアとしながら、当該デジタルテレビジョン２０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能なＥＥＰＲＯＭ２８ｄが備えられており、ＣＰＵ２８ａはＥＥＰＲＯＭ２８ｄに記憶された各種データ２８ｄ１，２８ｄ２を使用して制御処理を実行する。
【００２１】
図３は、ＣＰＵ２８ａおよびＲＡＭ２８ｂにて実行される制御プログラムの構成を模式的に示している。同図において、制御プログラムＰは指定入力部Ｐ１と特定部Ｐ２と確認部Ｐ３と検索部Ｐ４と更新部Ｐ５とモード入力部Ｐ６と選択部Ｐ７と受信部Ｐ８の各モジュールから構成されている。指定入力部Ｐ１はリモコン４０にて使用者が入力した仮想チャンネルの番号をリモコンＩ／Ｆ２８ｅを介して取得する。リモコン４０には仮想チャンネルの番号を入力するためのテンキー等が設けられており、ユーザーがテンキー等を操作して、直接仮想チャンネルの番号を指定することができる。特定部Ｐ２は、指定入力部Ｐ１から入力された仮想チャンネルの番号を取得するとともに、ＥＥＰＲＯＭ２８ｄに記憶された選局データ２８ｄを取得する。そして、特定部Ｐ２は、選局データ２８ｄ１を参照することにより、指定された仮想チャンネルが対応する物理チャンネルを特定する。特定された物理チャンネルの搬送周波数がチューナ２２にて選局される。
【００２２】
確認部Ｐ３は、デ・マルチプレックス部２３ｄにて多重化が解除されたデジタル放送信号を取得し、このトランスポートストリームに含まれるＳＤＴ（Service Description Table）を検出する。さらに、ＳＤＴを解析することにより、チューナ２２が選局しているデジタル放送信号がどの仮想チャンネルのものであるかを検出する。一方、確認部Ｐ３は、指定入力部Ｐ１から使用者が指定した仮想チャンネルも取得し、ＳＤＴを解析して得られた仮想チャンネルとの一致性を判定する。すなわち、確認部Ｐ３はチューナ２２が選局している仮想チャンネルが指定入力部Ｐ１にて受け付けた仮想チャンネルと一致しているかどうかを確認する。
【００２３】
検索部Ｐ４は、確認部Ｐ３においてチューナ２２が選局している仮想チャンネルと、指定入力部Ｐ１にて受け付けた仮想チャンネルとの一致性がない場合に、指定入力部Ｐ１にて受け付けた仮想チャンネルが受信可能な物理チャンネルの検索を行う。まず、選局データ２８ｄ１を参照し、いずれかの仮想チャンネルが対応づけられた物理チャンネルを取得する。そして、いずれかの仮想チャンネルが対応づけられた物理チャンネルを順にチューナ２２に選局させ、各物理チャンネルにおいてＳＤＴが検出できたかどうかを判定する。そして、ＳＤＴが検出できた場合、そのＳＤＴを解析し、同デジタル放送信号の仮想チャンネル番号を取得する。そして、受信されたデジタル放送信号のＳＤＴに格納された仮想チャンネル番号が指定入力部Ｐ１にて受け付けた仮想チャンネル番号と一致する物理チャンネルを検索する。
【００２４】
ここで、指定入力部Ｐ１にて受け付けた仮想チャンネル番号と一致する物理チャンネルが検出されない場合には、検索部Ｐ４はすべての物理チャンネルを順に選局させ、各物理チャンネルにおいてＳＤＴが検出できたかどうかを判定する。そして、ＳＤＴが検出できた場合、そのＳＤＴを解析し、同放送信号の仮想チャンネル番号を取得する。そして、受信されたデジタル放送信号のＳＤＴに格納された仮想チャンネル番号が指定入力部Ｐ１にて受け付けた仮想チャンネル番号と一致する物理チャンネルを検索する。すなわち、はじめの段階では、選局データ２８ｄ１においていずれかの仮想チャンネルが対応づけられた物理チャンネルのみを検索し、指定された仮想チャンネルが受信できる物理チャンネルが検索されない場合には、すべての物理チャンネルを検索する。
【００２５】
更新部Ｐ５は、検索部Ｐ４が検索を行った場合に、同検索によって得られた物理チャンネルと仮想チャンネルとの対応関係を選局データ２８ｄ１に更新させる。検索部Ｐ４は検索を行う際に、各物理チャンネルを選局するとともに、その際にＳＤＴを取得し、同ＳＤＴに格納された仮想チャンネルを取得するため、検索を行った物理チャンネルについては対応する仮想チャンネルを特定することができる。従って、検索部Ｐ４が検索を行った際に特定された最新の物理チャンネルと仮想チャンネルとの対応関係を選局データ２８ｄ１に更新させることができる。
【００２６】
モード入力部Ｐ６は使用者に選局モードを設定させるための処理を行う。例えば、選局モードは、初期設定の際に設定される。具体的には、モード入力部Ｐ６は、選局モードを設定するためのＵＩ画面を示すＯＳＤデータ２８ｄ２をＯＳＤ処理部２３ｈに出力し、その際にリモコン４０の入力状態を監視することにより、選局モードの設定入力を受け付ける。選局モードとして、第一選局モードと第二選局モードのいずれかを選択することが可能となっている。第一選局モードと第二選局モードの詳細については後述する。
【００２７】
選択部Ｐ７は、特定部Ｐ２が特定した物理チャンネルか、検索部Ｐ４が検索した物理チャンネルのいずれを受信させるかを使用者に選択させるための処理を行う。具体的には、特定部Ｐ２は、いずれかの物理チャンネルを選択させるためのＵＩ画面を示すＯＳＤデータ２８ｄ２をＯＳＤ処理部２３ｈに出力し、その際にリモコン４０の入力状態を監視することにより、物理チャンネルの選択入力を受け付ける。受信部Ｐ８は、特定部Ｐ２にて特定された物理チャンネル、または、検索部Ｐ４にて検索された物理チャンネルのいずれかをチューナ２２にて選局させ、選局して得られたデジタル放送信号をデジタル再生回路２３に出力する。
【００２８】
（２）受信処理：
図４は、受信処理の流れを示している。ステップＳ１００において、指定入力部Ｐ１はリモコン４０にて使用者が入力した仮想チャンネルの番号をリモコンＩ／Ｆ２８ｅを介して取得する。ステップＳ１０５では、特定部Ｐ２が指定入力部Ｐ１から入力された仮想チャンネルの番号を取得するとともに、ＥＥＰＲＯＭ２８ｄに記憶された選局データ２８ｄを取得し、指定入力部Ｐ１から入力された仮想チャンネルが対応する物理チャンネルを特定する。ステップＳ１１０においては、ステップＳ１０５にて特定した物理チャンネルを受信部Ｐ８がチューナ２２に設定し、デジタル放送信号の受信を行う。
【００２９】
ステップＳ１１５においては、確認部Ｐ３が受信中のデジタル放送信号からＳＤＴを取得し、同ＳＤＴに格納された仮想チャンネルの番号を取得する。また、確認部Ｐ３は、指定入力部Ｐ１から使用者が指定した仮想チャンネルの番号を取得する。そして、受信中のデジタル放送信号の仮想チャンネルと、使用者が指定した仮想チャンネルの番号を比較する。ステップＳ１２０において、受信中のデジタル放送信号の仮想チャンネルと、使用者が指定した仮想チャンネルの番号が一致していることが確認された場合には、受信部Ｐ８がチューナ２２が選局する物理チャンネルを変更することなく、ステップＳ１２５にて受信を継続させる。使用者が指定した仮想チャンネルが受信できているため、同受信したデジタル放送信号をデジタル再生回路２３に出力し、次に仮想チャンネルを指定する操作が受け付けられるまで、そのまま再生すればよい。
【００３０】
一方、ステップＳ１２０において、受信中のデジタル放送信号の仮想チャンネルと、使用者が指定した仮想チャンネルの番号が一致していないことが確認された場合には、ステップＳ１３０にて検索部Ｐ４が、使用者が指定した仮想チャンネルの第一検索処理を行う。具体的には、検索部Ｐ４が選局データ２８ｄ１にて受信可能である旨のフラグが付与された物理チャンネルを検索する。図２の例では、物理チャンネルの１，４，６ｃｈが絞り込まれることとなる。
【００３１】
すなわち、事前に行われたオートプリセットにおいていずれかの仮想チャンネルが対応づけられた物理チャンネルを絞り込む。そして、絞り込まれた物理チャンネルをチューナ２２に順に選局させ、各物理チャンネルにおいてＳＤＴが取得できたかどうかを判定する。そして、ＳＤＴが取得できた場合、そのＳＤＴを解析し、仮想チャンネル番号を取得する。これにより、検索した物理チャンネルについて、当該物理チャンネルと仮想チャンネルとの対応関係を特定することができる。そして、このような処理を各物理チャンネルに対して繰り返して行うことにより、ＳＤＴから取得した仮想チャンネル番号が、使用者が受信するように指定した仮想チャンネルの番号と一致する物理チャンネルを検索することができる。なお、各物理チャンネルにおいて複数の仮想チャンネルが多重化されて放送されている場合があるため、このようなサブチャンネルについても一致する仮想チャンネルを検索する。
【００３２】
ステップＳ１３５においては、ステップＳ１３０における第一検索処理において特定された物理チャンネルと仮想チャンネルとの対応関係を更新部Ｐ５が選局データ２８ｄ１に更新させる。なお、受信可能な仮想チャンネルは対応づけられた物理チャンネルについては、受信可能である旨のフラグが付与される。これにより、検索部Ｐ４が第一検索処理を行った際に特定された最新の物理チャンネルと仮想チャンネルとの対応関係を選局データ２８ｄ１に更新させることができる。
【００３３】
ステップＳ１４０においては、使用者が受信するように指定した仮想チャンネルが受信できる物理チャンネルがステップＳ１３０の第一検索処理にて検索できたかどうかが判定され、検索できない場合には、ステップＳ１４５にて、再度、検索部Ｐ４が使用者が受信するように指定した仮想チャンネルが受信できる物理チャンネルの検索を行う。具体的には、すべての物理チャンネルをチューナ２２に順に選局させ、各物理チャンネルにおいてＳＤＴが取得できたかどうかを判定する。そして、ＳＤＴが取得できた場合、そのＳＤＴを解析し、仮想チャンネル番号を取得する。このような処理を全物理チャンネルに対して繰り返して行うことにより、ＳＤＴから取得した仮想チャンネル番号が使用者が受信するように指定した仮想チャンネルが受信できる物理チャンネルを検索することができる。言い換えれば、すべての物理チャンネルについて検索を行うことにより、全搬送周波数帯域について指定された仮想チャンネルが受信可能なデジタル放送信号を検索することができる。
【００３４】
ステップＳ１５０においては、ステップＳ１３５と同様に、ステップＳ１４５における第二検索処理において特定された物理チャンネルと仮想チャンネルとの対応関係を更新部Ｐ５が選局データ２８ｄ１に更新させる。これにより、検索部Ｐ４が第二検索処理を行った際に特定された最新の物理チャンネルと仮想チャンネルとの対応関係を選局データ２８ｄ１に更新させることができる。ステップＳ１４５においては、すべての物理チャンネルについて検索が行われるため、デジタル放送信号が受信可能な全物理チャンネルについて対応する仮想チャンネルを更新することができる。
【００３５】
ステップＳ１５５においては、使用者が受信するように指定した仮想チャンネルが受信できる物理チャンネルがステップＳ１４５の第二検索処理にて検索できたかどうかが判定され、検索できない場合には、ステップＳ１６０にて、チューナ２２をもとの設定に戻す。すなわち、ステップＳ１０５にて特定した物理チャンネルを選局するように受信部Ｐ８がチューナ２２を設定する。使用者が受信するように指定した仮想チャンネルが受信できる物理チャンネルが検索できなかったため、もとの選局データ２８ｄ１に規定されていた対応関係に忠実な選局を行う。この場合、使用者が意図しない番組が受信される可能性が高いが、ステップＳ１００にて使用者が新たに仮想チャンネルを指定することができる。
【００３６】
一方、ステップＳ１４０とステップＳ１５５のいずれかにおいて使用者が受信するように指定した仮想チャンネルが受信できる物理チャンネルが検索できた場合には、ステップＳ１６５において、現在、第一選局モードとなっているか否かが判定される。上述したとおり、選局モードの設定は、初期設定等においてモード入力部Ｐ６が使用者に選局モードを設定させるためのＵＩ画面を表示することにより行われる。すなわち、ステップＳ１６５を実行する時点で、予め選局モードが設定されているため、受信部Ｐ８は同設定されている選局モードを取得し、それが第一選局モードであるかどうかを判定する。第一選局モードが設定されている場合には、ステップＳ１７０にて受信部Ｐ８が変更通知を行う。具体的には、使用者が受信するように指定した仮想チャンネルが対応する物理チャンネルが変更された旨のＵＩ画面を示すＯＳＤデータ２８ｄ２をＯＳＤ処理部２３ｈに出力することにより、視覚的に変更通知を行う。
【００３７】
図５は、ステップＳ１７０にて表示されるＵＩ画面を示している。同図において、使用者が受信するように指定した仮想チャンネルと、もとの選局データ２８ｄ１において同仮想チャンネルに対応する物理チャンネル（変更前の物理チャンネル）と、ステップＳ１４０とステップＳ１５５のいずれかにおいて同仮想チャンネルに対応するとして検索された物理チャンネル（変更後の物理チャンネル）とが表示されている。このような画面を表示することにより、使用者に指定した仮想チャンネルが割り当てられた物理チャンネルに変更があったことを認識することができる。また、ＵＩ画面では、表示された２個の物理チャンネルを選択することができ、使用者にいずれかの物理チャンネルを選局するかを問い合わせることが可能になっている。使用者はリモコン４０を操作して、いずれかの物理チャンネルを選択することができる。そして、いずれかの物理チャンネルを選択する入力操作を選択部Ｐ７がステップＳ１７５にて受け付ける。
【００３８】
すなわち、第一選局モードにおいて、使用者は、ステップＳ１０５にて特定された物理チャンネルと、ステップＳ１４０とステップＳ１５５のいずれかにおいて検索された物理チャンネルの、どちらかを選択することが可能となっている。ここで、ステップＳ１０５にて特定された物理チャンネルが選択された場合には、ステップＳ１４０とステップＳ１５５のいずれにおいても使用者が受信するように指定した仮想チャンネルが受信可能な物理チャンネルが検索できなかったときと同様に、ステップＳ１６０にてチューナ２２をもとの設定に戻す。すなわち、ステップＳ１０５にて特定した物理チャンネルを選局するように受信部Ｐ８がチューナ２２を設定する。
【００３９】
一方、ステップＳ１７５にて、ステップＳ１４０とステップＳ１５５のいずれかにおいて検索された物理チャンネルが選択された場合には、ステップＳ１８０にて、同検索された物理チャンネルの選局がチューナ２２にて行われる。これにより、使用者が受信するように指定したとおりの仮想チャンネルを受信することができ、使用者の所望する番組を再生することができる。また、ステップＳ１６５において、第二選局モードが設定されていた場合には、使用者に選択の機会を与えることなく、ステップＳ１４０とステップＳ１５５のいずれかにおいて検索された物理チャンネルがチューナ２２にて選局される。
【００４０】
第一選局モードでは検索された物理チャンネルを選局するか、選局データ２８ｄ１において対応関係が規定されていた物理チャンネルを選局するかを、選択することができるのに対して、第二選局モードでは選択の機会を与えることなく検索された物理チャンネルが選局される。使用者が指定した仮想チャンネルが自動的に選局される第二選局モードを設定しておくことにより、使用者の使い勝手が向上する。しかし、自動的に選局される物理チャンネルが変更されることを避けたい使用者は、第一選局モードを設定し、物理チャンネルの変更の可否を選択する機会を得ることができる。
【００４１】
以上説明したように、確認部Ｐ３がステップＳ１２０にて選局中のデジタル放送信号の仮想チャンネルが、使用者が指定した仮想チャンネルと一致しない場合に、ステップＳ１３０，Ｓ１４５にて使用者が受信するように指定した仮想チャンネルが受信可能な物理チャンネルを検索する。そして、検索された物理チャンネルをステップＳ１８０にて選局させ受信・再生を行うようにしているため、使用者が指定した仮想チャンネルに対応する物理チャンネルが変更されていても、その変更に追従して受信・再生を行うことができる。
【００４２】
また、ステップＳ１３０の第一検索処理とステップＳ１４５の第二検索処理を段階的に行うことにより、検索に要する時間を短縮することができる。すなわち、選局データ２８ｄ１にて対応する仮想チャンネルが規定された物理チャンネルは、使用頻度の高い物理チャンネル（搬送周波数帯域）であるということができるため、全物理チャンネルについて検索を行う前に、可能性の高い物理チャンネルのみ検索を行うことができ、処理時間を短縮することができる。
【００４３】
上述した実施形態に対応する請求項１にかかる発明では、チューナ２２が選局する搬送周波数に対応する物理チャンネルと、受信の際に指定される仮想チャンネルとの対応関係を規定したチャンネル対応テーブル２８ｄ１と、使用者から上記チューナ２２にて選局する上記仮想チャンネルの指定を受け付ける指定入力手段Ｐ１と、上記チャンネル対応テーブル２８ｄ１を参照して使用者から指定された上記仮想チャンネルに対応する上記物理チャンネルを特定する特定手段Ｐ２と、上記特定手段Ｐ２にて特定された上記物理チャンネルを上記チューナ２２にて選局させてデジタル放送信号の受信を行う受信手段Ｐ８とを具備するデジタルテレビジョン２０において、
上記受信手段Ｐ８が受信を行う際に、上記チューナ２２が選局している上記デジタル放送信号の上記仮想チャンネルが上記指定入力手段Ｐ１にて受け付けた上記仮想チャンネルと一致しているかどうかを確認する確認手段Ｐ３と、上記確認手段Ｐ３にて、上記チューナ２２が選局している上記デジタル放送信号の上記仮想チャンネルが上記指定入力手段Ｐ１にて受け付けた上記仮想チャンネルと一致していないことが確認されたとき、上記チャンネル対応テーブル２８ｄ１にていずれかの上記仮想チャンネルが対応づけられた上記物理チャンネルを順次上記チューナ２２にて選局させ、その際に受信される上記仮想チャンネルを順次特定しつつ、上記指定入力手段Ｐ１にて受け付けた上記仮想チャンネルが受信可能な上記物理チャンネルを検索する第一検索手段Ｐ４と、上記第一検索手段Ｐ４において上記指定入力手段Ｐ１にて受け付けた上記仮想チャンネルが受信可能な上記物理チャンネルが検索されないとき、すべての上記物理チャンネルを順次上記チューナ２２にて選局させ、その際に受信される上記仮想チャンネルを順次特定しつつ、上記指定入力手段Ｐ１にて受け付けた上記仮想チャンネルが受信可能な上記物理チャンネルを検索する第二検索手段Ｐ４と、上記第一検索手段Ｐ４または上記第二検索手段Ｐ４において特定した上記物理チャンネルと上記仮想チャンネルとの対応関係を上記チャンネル対応テーブル２８ｄ１に更新する更新手段Ｐ５と、第一選局モードまたは第二選局モードのいずれかの指定を受け付けるモード入力手段Ｐ６と、上記第一選局モードが指定され、かつ、上記第一検索手段Ｐ４または上記第二検索手段Ｐ４において上記指定入力手段Ｐ１にて受け付けた上記仮想チャンネルが受信可能な上記物理チャンネルが検索された場合に、上記指定入力手段Ｐ１にて受け付けた上記仮想チャンネルの変更があった旨を示す表示を行いつつ、上記第一検索手段Ｐ４または上記第二検索手段Ｐ４にて検索された上記物理チャンネルを選局させるか否かを問い合わせる選択手段Ｐ７とを具備するとともに、上記受信手段Ｐ８は、上記第一検索手段Ｐ４および上記第二検索手段Ｐ４において上記指定入力手段Ｐ１にて受け付けた上記仮想チャンネルが受信可能な上記物理チャンネルが検索されないとき、および、上記選択手段Ｐ７にて上記第一検索手段Ｐ４または上記第二検索手段Ｐ４にて検索された上記物理チャンネルを選局させないように指定されたとき、上記特定手段Ｐ２にて特定された上記物理チャンネルを上記チューナ２２にて選局させてデジタル放送信号を受信するとともに、上記第二選局モードが指定され上記第一検索手段Ｐ４および上記第二検索手段Ｐ４において上記指定入力手段Ｐ１にて受け付けた上記仮想チャンネルが受信可能な上記物理チャンネルを検索されたとき、および、上記選択手段Ｐ７にて上記第一検索手段Ｐ４または上記第二検索手段Ｐ４にて検索された上記物理チャンネルを選局させるように指定されたとき、上記第一検索手段Ｐ４または上記第二検索手段Ｐ４にて検索された上記物理チャンネルを上記チューナ２２にて選局させてデジタル放送信号を受信することを特徴とする構成としてある。
【００４４】
また、請求項２にかかる発明では、チューナ２２が選局する搬送周波数に対応する物理チャンネルと、受信の際に指定される仮想チャンネルとの対応関係を規定したチャンネル対応テーブル２８ｄ１と、使用者から上記チューナ２２にて選局する上記仮想チャンネルの指定を受け付ける指定入力手段Ｐ１と、上記チャンネル対応テーブル２８ｄ１を参照して使用者から指定された上記仮想チャンネルに対応する上記物理チャンネルを特定する特定手段Ｐ２と、上記特定手段Ｐ２にて特定された上記物理チャンネルを上記チューナ２２にて選局させてデジタル放送信号の受信を行う受信手段Ｐ８とを具備するデジタルテレビジョンにおいて、
上記受信手段Ｐ８が受信を行う際に、上記チューナ２２が選局している上記デジタル放送信号の上記仮想チャンネルが上記指定入力手段Ｐ１にて受け付けた上記仮想チャンネルと一致しているかどうかを確認する確認手段Ｐ３と、上記確認手段Ｐ３にて、上記チューナ２２が選局している上記デジタル放送信号の上記仮想チャンネルが上記指定入力手段Ｐ１にて受け付けた上記仮想チャンネルと一致していないことが確認されたとき、上記物理チャンネルを順次上記チューナ２２にて選局させ、その際に受信される上記仮想チャンネルを順次特定しつつ、上記指定入力手段Ｐ１にて受け付けた上記仮想チャンネルが受信可能な上記物理チャンネルを検索する検索手段Ｐ４を具備するとともに、上記受信手段Ｐ８は、上記第一検索手段Ｐ４および上記第二検索手段Ｐ４において上記指定入力手段Ｐ１にて受け付けた上記仮想チャンネルが受信可能な上記物理チャンネルを検索されたとき、同検索された上記物理チャンネルを上記チューナ２２にて選局させてデジタル放送信号を受信する構成としてある。
【００４５】
上記のように構成した請求項２の発明において、上記物理チャンネルと上記仮想チャンネルとの対応関係を規定したチャンネル対応テーブル２８ｄ１を備えることにより、上記仮想チャンネルから対応する上記物理チャンネルを特定し、さらに同特定された物理チャンネルに対応する搬送周波数を特定することができる。従って、特定手段Ｐ２では上記チャンネル対応テーブル２８ｄ１を参照して上記指定入力手段Ｐ１にて受け付けた上記仮想チャンネルに対応する上記物理チャンネルを特定することができ、受信手段Ｐ８においては同特定手段Ｐ２にて特定された同物理チャンネルを上記チューナ２２にて選局させて受信を行うことができる。すなわち、使用者が指定した上記仮想チャンネルについて視聴を行うことができる。
【００４６】
確認手段Ｐ３は上記受信手段Ｐ８が受信を行っているときに、上記チューナ２２が選局している上記デジタル放送信号の上記仮想チャンネルが上記指定入力手段Ｐ１にて受け付けた上記仮想チャンネルと一致しているかどうかを確認する。そして、検索手段Ｐ４は、上記確認手段Ｐ３が上記チューナ２２の選局している上記デジタル放送信号の上記仮想チャンネルが上記指定入力手段Ｐ１にて受け付けた上記仮想チャンネルと一致していないと判定したとき、上記指定入力手段Ｐ１にて受け付けた上記仮想チャンネルが受信可能な上記物理チャンネルを検索する。具体的には、上記検索手段Ｐ４は、上記物理チャンネルを順次上記チューナ２２にて選局させ、その際に受信される上記仮想チャンネルを順次特定しつつ、上記指定入力手段Ｐ１にて受け付けた上記仮想チャンネルが受信可能な上記物理チャンネルを検索する。さらに、上記受信手段Ｐ８は、上記検索手段Ｐ４にて検索された上記物理チャンネルを上記チューナ２２にて選局させて受信を行うため、指定された上記仮想チャンネルを視聴することができる。
【００４７】
また、請求項３にかかる発明では、上記検索手段Ｐ４は、上記チャンネル対応テーブル２８ｄ１にていずれかの上記仮想チャンネルが対応づけられた上記物理チャンネルを順次上記チューナ２２にて選局させ、その際に受信される上記仮想チャンネルを順次特定しつつ、上記指定入力手段Ｐ１にて受け付けた上記仮想チャンネルが受信可能な上記物理チャンネルを検索する構成としてある。
上記のように構成した請求項３の発明において、ステップＳ１３０のように、上記検索手段Ｐ４は、上記チャンネル対応テーブル２８ｄ１にて対応する仮想チャンネルが規定された物理チャンネルのみを対象として、上記指定入力手段Ｐ１にて受け付けた上記仮想チャンネルが受信可能な上記物理チャンネルを検索する。上記チャンネル対応テーブル２８ｄ１にて上記仮想チャンネルとの対応関係が規定される上記物理チャンネルは、使用頻度の高い物理チャンネル（搬送周波数帯域）であるということができるため、上記指定入力手段Ｐ１にて受け付けた上記仮想チャンネルが受信される可能性の高い物理チャンネルのみ検索を行うことができる。
【００４８】
また、請求項４にかかる発明では、上記検索手段Ｐ４は、上記チャンネル対応テーブル２８ｄ１にていずれかの上記仮想チャンネルが対応づけられた上記物理チャンネルのなかから上記指定入力手段Ｐ１にて受け付けた上記仮想チャンネルが受信可能な上記物理チャンネルが検索されないとき、すべての上記物理チャンネルを順次上記チューナ２２にて選局させ、その際に受信される上記仮想チャンネルを順次特定しつつ、上記指定入力手段Ｐ１にて受け付けた上記仮想チャンネルが受信可能な上記物理チャンネルを検索する構成としてある。
上記のように構成した請求項４の発明において、ステップＳ１３０では上記チャンネル対応テーブル２８ｄ１にて対応する仮想チャンネルが規定された物理チャンネルのみを対象として、上記指定入力手段Ｐ１にて受け付けた上記仮想チャンネルが受信可能な上記物理チャンネルを検索し、その結果、同仮想チャンネルが受信可能な上記物理チャンネルが検出されない場合に限り、ステップＳ１４５にて、すべての上記物理チャンネルを対象として検索を行う。これにより、漏れのない検索を行うことができる。
【００４９】
さらに、請求項５にかかる発明では、上記検索手段Ｐ４において特定した上記物理チャンネルと上記仮想チャンネルとの対応関係を上記チャンネル対応テーブル２８ｄ１に更新する更新手段Ｐ５を具備する構成としてある。
上記のように構成した請求項５の発明において、上記検索手段Ｐ４が特定した上記物理チャンネルと上記仮想チャンネルとの対応関係をステップＳ１３５，Ｓ１５０にて上記チャンネル対応テーブル２８ｄ１に更新させる。これにより、上記検索手段Ｐ４が検索を行った際に特定された最新の上記物理チャンネルと上記仮想チャンネルとの対応関係を上記チャンネル対応テーブル２８ｄ１に反映させることができる。
【００５０】
また、請求項６にかかる発明では、上記検索手段Ｐ４において上記指定入力手段Ｐ１にて受け付けた上記仮想チャンネルが受信可能な上記物理チャンネルが検索されたとき、上記指定入力手段Ｐ１にて受け付けた上記仮想チャンネルの変更があった旨を示す表示を行う構成としてある。
上記のように構成した請求項６の発明において、上記指定入力手段Ｐ１にて受け付けた上記仮想チャンネルが受信可能な上記物理チャンネルが検索された場合に、例えば図５のように上記指定入力手段Ｐ１にて受け付けた上記仮想チャンネルの変更があった旨を示す表示を行う。これにより、上記指定入力手段Ｐ１にて受け付けた上記仮想チャンネルの変更があったことを使用者に通知することができる。
【００５１】
さらに、請求項７にかかる発明では、上記受信手段Ｐ８は、上記検索手段Ｐ４において上記指定入力手段Ｐ１にて受け付けた上記仮想チャンネルが受信可能な上記物理チャンネルが検索されないとき、上記特定手段Ｐ２にて特定された上記物理チャンネルを上記チューナにて選局させてデジタル放送信号を受信する構成としてある。
上記のように構成した請求項７において、上記検索手段Ｐ４において上記指定入力手段Ｐ１にて受け付けた上記仮想チャンネルが受信可能な上記物理チャンネルが検索されない場合には、上記特定手段Ｐ２にて特定された上記物理チャンネルを上記チューナにて選局させてデジタル放送信号を受信する。
【００５２】
また、請求項８にかかる発明では、上記検索手段Ｐ４において上記指定入力手段Ｐ１にて受け付けた上記仮想チャンネルが受信可能な上記物理チャンネルが検索されたとき、上記検索手段Ｐ４にて検索された上記物理チャンネルを選局させるか否かを問い合わせる第一選局モードと、上記検索手段Ｐ４において上記検索手段Ｐ４において上記指定入力手段Ｐ１にて受け付けた上記仮想チャンネルが受信可能な上記物理チャンネルが検索されたとき、上記検索手段Ｐ４にて検索された上記物理チャンネルを選局させるか否かを問い合わせることなく、上記受信手段Ｐ８が同検索された上記物理チャンネルを上記チューナ２２にて選局させてデジタル放送信号を受信する第二選局モードのいずれかの指定を受け付けるモード入力手段Ｐ６を具備する構成としてある。
上記のように構成した請求項８の発明において、モード入力手段Ｐ６は、第一選局モードと第二選局モードのいずれかの指定を受け付けることができる。上記検索手段Ｐ４において上記指定入力手段Ｐ１にて受け付けた上記仮想チャンネルが受信可能な上記物理チャンネルが検索されたとき、上記第一選局モードにおいては、上記検索手段Ｐ４にて検索された上記物理チャンネルを選局させるか否かを問い合わせることができる。一方、上記第二選局モードにおいては、上記検索手段Ｐ４にて検索された上記物理チャンネルを選局させるか否かを問い合わせることなく、上記受信手段Ｐ８が同検索された上記物理チャンネルを上記チューナ２２にて選局させてデジタル放送信号を受信する。
【図面の簡単な説明】
【００５３】
【図１】デジタルテレビジョンの概略構成図である。
【図２】選局データを示す表である。
【図３】制御プログラムのモジュール構成を示すブロック図である。
【図４】受信処理のフローチャートである。
【図５】ＵＩ画面を示す図である。
【符号の説明】
【００５４】
１０…アンテナ
２０…デジタルテレビジョン
２２…チューナ
２３…デジタル再生回路
２４ａ…ＣＲＴ
２４ｂ…スピーカ
２８ａ…ＣＰＵ
２８ｂ…ＲＡＭ
２８ｃ…ＲＯＭ
２８ｄ…ＥＥＰＲＯＭ
２８ｄ１…選局データ
２８ｄ２…ＯＳＤデータ
Ｐ…制御プログラム
Ｐ１…指定入力部
Ｐ２…特定部
Ｐ３…確認部
Ｐ４…検索部
Ｐ５…更新部
Ｐ６…モード入力部
Ｐ７…選択部
Ｐ８…受信部
【図１】
2007116279.tif 000003
【図２】
2007116279.tif 000004
【図３】
2007116279.tif 000005
【図４】
2007116279.tif 000006
【図５】
2007116279.tif 000007